(57)【要約】【課題】乗場で行先階を登録した乗客がその乗場に到着した乗りかごに誤って乗車することを防ぐと共に、不審者の乗車を防いでセキュリティを確保する。【解決手段】群管理制御装置１１は、乗場行先階登録装置１６に行先階を登録した乗客を識別する登録者識別装置３１と、登録者識別装置３１によって識別された乗客の情報とその乗客の行先階とを関連付けて記録する情報記録部２１と、乗りかご内に乗車した乗客を識別する乗車者識別装置３３と、乗車者識別装置３３によって識別された乗客の情報と情報記録部２１に記録された乗客の情報とを照合する情報照合部２３と、情報照合部２３による照合結果に基づいて、乗場行先階登録装置１６に行先階を登録した乗客と乗りかご内に乗車した乗客とが一致しない場合に乗りかごの戸開状態を維持して運転を停止すると共に警告発生指令を出力する運転制御部２４と、運転制御部２４から出力された警告発生指令を受けて警告を発する音声アナウンス装置３５、表示装置３６とを備える。【選択図】      図２
2012056653.tif 000002
【特許請求の範囲】
【請求項１】
各階床の乗場にて行先階を登録するための乗場行先階登録装置を備えたエレベータシステムにおいて、
上記乗場行先階登録装置に行先階を登録した乗客を識別する登録者識別手段と、
この登録者識別手段によって識別された乗客の情報とその乗客の行先階とを関連付けて記録する情報記録手段と、
乗りかご内に乗車した乗客を識別する乗客識別手段と、
この乗客識別手段によって識別された乗客の情報と上記情報記録手段に記録された乗客の情報とを照合する情報照合手段と、
この情報照合手段による照合結果に基づいて、上記乗場行先階登録装置に行先階を登録した乗客と上記乗りかご内に乗車した乗客とが一致しない場合に上記乗りかごの戸開状態を維持して運転を停止すると共に警告発生指令を出力する制御手段と、
この制御手段から出力された警告発生指令を受けて警告を発する警告手段と
を具備したことを特徴とするエレベータシステム。
【請求項２】
上記登録者識別手段は、
上記乗場に設置された第１のタグリーダを用いて、上記乗場で行先階を登録した乗客が持つＩＣタグの情報を当該乗客の識別情報として読み取り、
上記乗客識別手段は、
上記乗りかご内に設置された第２のタグリーダを用いて、上記乗りかごに乗車した乗客が持つＩＣタグの情報を当該乗客の識別情報として読み取ることを特徴とする請求項１記載のエレベータシステム。
【請求項３】
上記乗りかご内の乗客の人数を検出する乗客人数検出手段を備え、
上記制御手段は、
上記乗客人数検出手段によって検出された乗客の人数と上記情報記録手段に記録された乗客の人数とを比較し、両者の人数が違う場合に上記乗りかごの戸開状態を維持して運転を停止すると共に警告発生指令を出力することを特徴とする請求項１記載のエレベータシステム。
【請求項４】
上記乗客人数検出手段は、
上記乗りかご内に設置されたカメラの撮影画像を解析して乗客の人数を検出することを特徴とする請求項３記載のエレベータシステム。
【請求項５】
上記乗客人数検出手段は、
上記乗りかごの底部に設置された荷重センサから得られる積載荷重に基づいて乗客の人数を検出することを特徴とする請求項３記載のエレベータシステム。
【請求項６】
乗客の同乗者数を登録する同乗者数登録手段を備え、
上記制御手段は、
上記同乗者数登録手段に登録された同乗者数を上記情報記録手段に記録された乗客の人数に加味して、上記乗客人数検出手段によって検出された乗客の人数と比較することを特徴とする請求項３記載のエレベータシステム。
【請求項７】
上記同乗者数登録手段は、
上記乗りかご内に設置された第３のＩＣリーダを用いて、上記乗りかごに乗車した乗客が持つＩＣタグの情報を連続して読み取った回数を同乗者数として登録することを特徴とする請求項６記載のエレベータシステム。
【発明の詳細な説明】
【技術分野】
【０００１】
本発明の実施形態は、各階床の乗場にて行先階を登録するための乗場行先階登録装置を備えたエレベータシステムに関する。
【背景技術】
【０００２】
近年、ビル内の各階床の乗場に乗場行先階登録装置を設置しておき、乗客がエレベータの乗りかごに乗る前に行先階を事前に登録できるようにしたエレベータシステムが実現化されている。
【０００３】
通常、乗場行先階登録装置を持たないエレベータシステムでは、乗場に「乗場呼びボタン」と呼ばれる上方向と下方向のボタンのみが設置されており、そのボタン操作によって登録された乗場呼びに対して最適な乗りかごを割り当てている。この場合、上記乗場呼びには、上方向または下方向の情報しか含まれていないため、乗りかごの割当に際して乗客の行先階は考慮されない。
【０００４】
これに対し、乗場行先階登録装置を持つエレベータシステムでは、乗客の行先階を事前に知ることができるため、例えば同じ階に行く乗客に対して同じ乗りかごを割り当てるなどして、効率的な運行制御を行うことができる。
【０００５】
また、ＩＣカードに予め乗客の行先階などの情報を記録しておき、乗場に設置されたカード読取装置で上記ＩＣカードの情報を読み取ることで、乗場にて行先階の登録を行うようにしたシステムも考えられている。
【先行技術文献】
【特許文献】
【０００６】
【特許文献１】特開２００６−１１７３９８号公報
【発明の概要】
【発明が解決しようとする課題】
【０００７】
上述した乗場にて行先階の登録が可能なシステムでは、乗場に乗りかごが到着して乗客が乗車した際に、既に行先階の登録済みであるため、改めて行先階を指定する操作は不要である。しかしながら、同じ階に別の乗りかごが応答するような場合に、乗客が誤って乗車してしまう可能性がある。この場合、その乗りかごは他の乗客が登録した行先階に向かってしまうため、途中で下車しなければならない。
【０００８】
一方、乗場に乗りかごが到着したときに、誰でも乗車できるため、不審者が意図的に乗り込む可能性があり、セキュリティの点で弱いといった問題がある。
【０００９】
そこで、乗場で行先階を登録した乗客がその乗場に到着した乗りかごに誤って乗車することを防ぐと共に、不審者の乗車を防いでセキュリティを確保することのできるエレベータシステムが求められる。
【課題を解決するための手段】
【００１０】
本実施形態に係るエレベータシステムは、各階床の乗場にて行先階を登録するための乗場行先階登録装置を備えたエレベータシステムにおいて、上記乗場行先階登録装置に行先階を登録した乗客を識別する登録者識別手段と、この登録者識別手段によって識別された乗客の情報とその乗客の行先階とを関連付けて記録する情報記録手段と、乗りかご内に乗車した乗客を識別する乗客識別手段と、この乗客識別手段によって識別された乗客の情報と上記情報記録手段に記録された乗客の情報とを照合する情報照合手段と、この情報照合手段による照合結果に基づいて、上記乗場行先階登録装置に行先階を登録した乗客と上記乗りかご内に乗車した乗客とが一致しない場合に上記乗りかごの戸開状態を維持して運転を停止すると共に警告発生指令を出力する制御手段と、この制御手段から出力された警告発生指令を受けて警告を発する警告手段とを具備したことを特徴とする。
【図面の簡単な説明】
【００１１】
【図１】図１は第１の実施形態に係るエレベータシステムの全体構成を示す図である。
【図２】図２は同実施形態におけるエレベータシステムの群管理制御装置の機能構成を示すブロック図である。
【図３】図３は同実施形態における群管理制御装置の情報記録部の構成を示す図である。
【図４】図４は同実施形態における乗りかごを正面から見た場合の構成図である。
【図５】図５は同実施形態における乗りかごを上から見た場合のかご内の様子を模式的に示した図である。
【図６】図６は同実施形態における群管理制御装置の処理動作を示すフローチャートである。
【図７】図７は第２の実施形態におけるエレベータシステムの群管理制御装置の機能構成を示すブロック図である。
【図８】図８は同実施形態における乗客人数検出装置として乗りかご内にカメラを設置した例を示す図である。
【図９】図９は同実施形態における群管理制御装置の処理動作を示すフローチャートである。
【図１０】図１０は第３の実施形態におけるエレベータシステムの群管理制御装置の機能構成を示すブロック図である。
【図１１】図１１は同実施形態における群管理制御装置の情報記録部の構成を示す図である。
【図１２】図１２は同実施形態における同乗者数登録装置として乗りかご内にＩＣリーダを設置した例を示す図である。
【図１３】図１３は同実施形態における群管理制御装置の処理動作を示すフローチャートである。
【発明を実施するための形態】
【００１２】
以下、図面を参照して実施形態を説明する。
【００１３】
（第１の実施形態）
図１は第１の実施形態に係るエレベータシステムの全体構成を示す図であり、複数台のエレベータが群管理制御された構成が示されている。
【００１４】
このエレベータシステムは、主制御装置である群管理制御装置１１と、この群管理制御装置１１に伝送ケーブル１を介して接続された複数のエレベータ制御装置１２ａ，１２ｂ，１２ｃ…と、これらのエレベータ制御装置１２ａ，１２ｂ，１２ｃ…によって運転が制御される各号機の乗りかご１３ａ，１３ｂ，１３ｃ…とを備える。
【００１５】
乗りかご１３ａ，１３ｂ，１３ｃ…は、図示せぬ巻上機の駆動により、昇降路内を昇降動作する。乗りかご１３ａ，１３ｂ，１３ｃ…の底部には、かご内の積載荷重を検出するための荷重センサ１４ａ，１４ｂ，１４ｃ…が設置されている。これらの荷重センサ１４ａ，１４ｂ，１４ｃ…にて検出された積載荷重の信号は、それぞれに乗りかご１３ａ，１３ｂ，１３ｃ…に対応したエレベータ制御装置１２ａ，１２ｂ，１２ｃ…を介して群管理制御装置１１に与えられる。
【００１６】
また、このエレベータシステムでは、各階床の乗場１５ａ，１５ｂ，１５ｃ…に乗場行先階登録装置１６ａ，１６ｂ，１６ｃ…を備える。
【００１７】
乗場行先階登録装置１６ａ，１６ｂ，１６ｃ…は、乗場にて乗客の行先階を事前に登録するための装置であり、それぞれに乗客がボタン操作により行先階を入力するための操作部１７ａ，１７ｂ，１７ｃ…と、この操作部１７ａ，１７ｂ，１７ｃ…によって登録された行先階の確認表示を行うための表示部１８ａ，１８ｂ，１８ｃ…とを有する。これらの乗場行先階登録装置１６ａ，１６ｂ，１６ｃ…は、伝送ケーブル２を介して群管理制御装置１１に接続されている。
【００１８】
このような構成において、エレベータの乗客は、乗りかご１３ａ，１３ｂ，１３ｃ…に乗車する前に、各階床の乗場１５ａ，１５ｂ，１５ｃ…に設置された乗場行先階登録装置１６ａ，１６ｂ，１６ｃ…を通じて行先階を登録することができる。
【００１９】
今、ある階床の乗場行先階登録装置１６ａにて行先階が登録されたとすると、その行先階の情報は当該階床の情報と共に乗場呼びとして群管理制御装置１１に送られる。群管理制御装置１１では、エレベータ制御装置１２ａ，１２ｂ，１２ｃ…から得られる乗りかご１３ａ，１３ｂ，１３ｃ…の運転状態に基づいて当該乗場呼びを割り当てる乗りかごを決定し、その乗りかごに対応したエレベータ制御装置に乗場呼びの割当信号を出力する。例えば、１号機の乗りかご１３ａに乗場呼びが割り当てられたとすると、エレベータ制御装置１２ａに割当信号が出力される。
【００２０】
このとき、乗場行先階登録装置１６ａの表示部１８ａに乗客が登録した行先階に対して１号機が応答する旨が表示されるので、乗客は１号機の到着位置で待機していれば良い。また、乗客が１号機の乗りかご１３ａに乗車したとき、既に自分の行先階が登録された状態なので、乗りかご１３ａ内で行先階を登録する操作は不要である。
【００２１】
一方、群管理制御装置１１では、事前に乗客の行先階を知ることができるため、同じ階に行きたい乗客が多数存在する場合に、同じ乗りかごを割り当てるなどして運行効率を上げることができる。
【００２２】
以上は乗場行先登録装置を有するエレベータシステムの一般的な構成である。本実施形態では、さらに以下のような構成を備える。
【００２３】
すなわち、各階床の乗場１５ａ，１５ｂ，１５ｃ…に登録者識別装置３１ａ，３１ｂ，３１ｃ…が設置されている。この登録者識別装置３１ａ，３１ｂ，３１ｃ…は、それぞれに乗場行先階登録装置１６ａ，１６ｂ，１６ｃ…に行先階を登録した乗客を識別する。
【００２４】
なお、図１の例では、登録者識別装置３１ａ，３１ｂ，３１ｃ…が乗場行先階登録装置１６ａ，１６ｂ，１６ｃ…に一体化された構成が示されているが、特にこの構成に限るものではなく、登録者識別装置３１ａ，３１ｂ，３１ｃ…が乗場行先階登録装置１６ａ，１６ｂ，１６ｃ…とは独立して設けられていても良い。
【００２５】
また、この登録者識別装置３１ａ，３１ｂ，３１ｃ…としては、例えばＲＦＩＤ（Radio Frequency Identification）技術を利用することも考えられる。すなわち、エレベータを利用する乗客にＩＣタグ３２を持たせておき、ＩＣリーダからなる登録者識別装置３１ａ，３１ｂ，３１ｃ…によって、そのＩＣタグ３２に記録されたＩＤ情報（識別情報）を所定の範囲内で非接触に読み取る。
【００２６】
なお、ＩＣタグ３２の情報を非接触で読み取る方法については周知であるため、ここではその詳しい説明は省略するものとする。また、ＩＣタグ３２にはＩＤ情報の他に乗客の行先階を記録しておき、乗場行先階登録装置１６ａ，１６ｂ，１６ｃ…にその行先階を自動登録できるような構成にしても良い。
【００２７】
登録者識別装置３１ａ，３１ｂ，３１ｃ…は、乗場行先階登録装置１６ａ，１６ｂ，１６ｃ…と共に伝送ケーブル２を介して群管理制御装置１１に接続されており、乗客を識別した結果（ＩＣタグ３２に記録されたＩＤ情報）を群管理制御装置１１に与える。
【００２８】
図２は同実施形態におけるエレベータシステムの群管理制御装置１１の機能構成を示すブロック図である。
【００２９】
なお、以下では、図１に示した各階床の乗場１５ａ，１５ｂ，１５ｃ…や乗場行先階登録装置１６ａ，１６ｂ，１６ｃ…、登録者識別装置３１ａ，３１ｂ，３１ｃ…のうちの１つを代表して、乗場１５、乗場行先階登録装置１６、登録者識別装置３１として説明する。同様に、各号機に対応したエレベータ制御装置１２ａ，１２ｂ，１２ｃ…や乗りかご１３ａ，１３ｂ，１３ｃ…についても、これらのうちの１つを代表して、エレベータ制御装置１２、乗りかご１３として説明する。
【００３０】
群管理制御装置１１は、情報記録部２１と、割当て制御部２２と、情報照合部２３と、運転制御部２４と、指令部２５とを備える。
【００３１】
情報記録部２１は、乗場１５で行先階を登録した乗客の情報とその乗客の行先階とを関連付けて記録する。割当て制御部２２は、乗場行先階登録装置１６にて登録された乗客の行先階を含む乗場呼びを最適な乗りかご１３に割り当て、当該階床に応答させる制御を行う。
【００３２】
情報照合部２３は、情報記録部２１に記録された乗客の情報と乗りかご１３内の乗客の情報とを照合する。運転制御部２４は、情報照合部２３の照合結果に基づいて乗りかご１３の運転を制御する。指令部２５は、運転制御部２４から出力される指令を各部に対して出力する。
【００３３】
また、図１に示したように各階床の乗場１５には、乗場行先階登録装置１６にて行先階を登録した乗客を識別（特定）するための登録者識別装置３１が設けられる。この登録者識別装置３１によって識別された乗客の情報は、その乗客が登録した行先階の情報と共に群管理制御装置１１に送られて、情報記録部２１に記録される。
【００３４】
具体的には、登録者識別装置３１としてＩＣリーダが用いられ、乗客が持つＩＣタグ３２に記録されたＩＤ情報により乗客を識別（特定）する。この場合、乗客が乗場行先階登録装置１６にて行先階の登録操作を行ったときに、その行先階が確定されたことをトリガーにして、その乗客と行先階とを関連付けて情報記録部２１に記録するものとする。
【００３５】
乗客と行先階とを関連付けて記録する方法としては、例えば乗客と行先階の情報にそれぞれ同一のインデックスを付加して記録する方法や、情報記録部２１の中に記録テーブルを作成し、その記録テーブルの同一行に乗客と行先階の情報を記録するといった方法がある。
【００３６】
図３に群管理制御装置１１の情報記録部２１に作成された記録テーブルに乗客と行先階の情報を記録する場合の例を示す。この例では、乗客Ａと乗客Ｂが３階、乗客Ｃが５階を登録した場合が示されている。また、ＩＣタグ３２から読み取ったＩＤで乗客が識別されている。この例では、乗客ＡはＩＤ１１、乗客ＢはＩＤ１２、乗客ＣはＩＤ１３によって識別されている。
【００３７】
なお、図３の例では１つの記録テーブルしか図示されていないが、この記録テーブルは各階床毎に用意される。
【００３８】
一方、各号機の乗りかご１３には、かご内の乗客を識別するための乗車者識別装置３３が設けられる。乗車者識別装置３３としては、登録者識別装置３１と同様にＩＣリーダが用いられる。
【００３９】
図４および図５に乗りかご１３の内部構成の具体例を示す。  
図４は乗りかご１３を正面から見た場合の構成図、図５は乗りかご１３を上から見た場合のかご内の様子を模式的に示した図である。
【００４０】
かご内の複数箇所にＩＣリーダである乗車者識別装置３３が設けられる。乗車者識別装置３３が複数箇所に設けられているのは、乗りかご１３の外にいる人のＩＣタグ３２を誤検知しないように、無線によるＩＣリーダの検知範囲を狭く設計してあるためである。図５の例では、正面に２つ、側面に１つずつ、背面に１つある。これらの乗車者識別装置３３によって、かご内の乗客が持つＩＣタグ３２に記録されたＩＤ情報を読み取り、そのＩＤ情報にて当該乗客を識別（特定）する。
【００４１】
乗車者識別装置３３は群管理制御装置１１に接続され、乗車者識別装置３３によって識別された乗客の情報は群管理制御装置１１に与えられる。
【００４２】
また、乗りかご１３の中には、音声アナウンスを行うための音声アナウンス装置３５と、表示案内を行うための表示装置３６が設けられている。図４に示すように、この音声アナウンス装置３５と表示装置３６は、例えばかごドア３７ａの近傍の上部に設置される。なお、この音声アナウンス装置３５と表示装置３６の設置位置については特に限定されるものではないが、表示装置３６については、かご内の乗客がどこにいても視認できるような位置に設置されることが望ましい。
【００４３】
なお、図４において、図中の３８ａと３８ｂは戸開ボタンと戸閉ボタンである。通常のエレベータのように行先階を指定するためのボタンはない。
【００４４】
また、乗りかご１３には、かごドア３７ａの戸開閉動作を制御するためのドア制御装置３７が設けられている。
【００４５】
次に、第１の実施形態の動作について説明する。  
図６は第１の実施形態における群管理制御装置１１の処理動作を示すフローチャートである。
【００４６】
まず、乗場１５にて、乗客が乗場行先階登録装置１６の操作部１７を操作して行先階（目的階）を登録する（ステップＡ１１）。このとき、乗場１５に設置された登録者識別装置３１によって乗客が識別され、その識別情報（ＩＤ）が行先階の情報と共に群管理制御装置１１に送られる（ステップＡ１２）。
【００４７】
詳しくは、乗客が持つＩＣタグ３２に記録されたＩＤがＩＣリーダである登録者識別装置３１によって非接触で読み取られ、乗場行先階登録装置１６に登録された行先階の情報と共に伝送ケーブル２を介して群管理制御装置１１に送られる。
【００４８】
群管理制御装置１１では、乗客の識別情報（ＩＤ）と行先階の情報を受け取ると、図３のように情報記録部２１に関連付けて記録する。そして、群管理制御装置１１は、行先階の情報に基づいて最適な乗りかご１３を選択し、その乗りかご１３に対応したエレベータ制御装置１２に割当て指令を出して、行先階の登録がなされた階床に向かわせる（ステップＡ１３）。
【００４９】
ここで、乗りかご１３が着床して戸開すると（ステップＡ１４のＹｅｓ）、乗りかご１３内に設置された乗車者識別装置３３によって、乗りかご１３内に乗車した乗客が識別され、その識別情報が群管理制御装置１１に送られる（ステップＡ１５）。
【００５０】
詳しくは、乗客が持つＩＣタグ３２に記録されたＩＤがＩＣリーダである乗車者識別装置３３によって非接触で読み取られ、伝送ケーブル２を介して群管理制御装置１１に送られる。
【００５１】
群管理制御装置１１では、乗車者識別装置３３にて識別された乗客の情報と、情報記録部２１に記録された乗客の情報とを照合する（ステップＡ１６）。その結果、両者が一致した場合、具体的には乗りかご１３内の乗客が持つＩＣタグ３２から読み取ったＩＤが情報記録部２１に記録されたＩＤと一致すれば（ステップＡ１６のＹｅｓ）、群管理制御装置１１は、乗客が正しい乗りかご１３に乗っているものと判断し、乗りかご１３を戸閉して出発する（ステップＡ１７）。
【００５２】
一方、乗りかご１３内の乗客が持つＩＣタグ３２から読み取ったＩＤが情報記録部２１に記録されたＩＤと一致しない場合には（ステップＡ１６のＮｏ）、群管理制御装置１１は、乗客が誤って乗りかご１３に乗っているものと判断し、指令部２５を通じてかご内の音声アナウンス装置３５と表示装置３６に対して警告指示を出す（ステップＡ１８）。
【００５３】
これにより、例えば「このエレベータは＊＊階に向かいます。間違って乗車している方がいますので、ご確認下さい。」といったような警告メッセージが音声アナウンス装置３５を通じて音声アナウンスされると共に、表示装置３６に文字表示される。この間、戸開状態が保持されており、乗りかご１３の運転は停止されている（ステップＡ１９）。該当する乗客が降りると、乗りかご１３が戸閉して出発する。
【００５４】
なお、ここでは乗りかご１３に音声アナウンス装置３５および表示装置３６を設けて、音声と表示の両方で警告する構成としたが、どちらか一方で警告することでも良い。また、建物内の監視室４１に発報して、監視員に知らせるようにしても良い。
【００５５】
このように第１の実施形態によれば、乗場で行先階を登録した乗客が乗場に到着した別の乗りかご１３に誤って乗車したような場合に、その旨が音声および表示で警告され、その間、乗りかご１３の運転が停止した状態にある。したがって、誤って乗車した乗客は直ぐに気付いて降車することができる。
【００５６】
また、例えばＩＣタグ３２を持たない乗客、つまり、登録者識別装置３１によって識別（特定）できない乗客が乗りかご１３に乗車した場合には、乗りかご１３内の乗車者識別装置３３によって識別されないため、乗りかご１３は戸開した状態で停止している。したがって、不審者が勝手に乗りかご１３に乗車して各階床に移動することを防止することができ、例えばセキャリティ対策が要求されているマンション等のビルにおいて有効である。
【００５７】
（第２の実施形態）
次に、第２の実施形態について説明する。  
上記第１の実施形態のように乗場１５での認証結果（ＩＤ）と乗りかご１３での認証結果（ＩＤ）とを照合することにより、乗りかご１３に誤って乗車した乗客あるいは不正に乗車した乗客を検出することができる。しかし、例えばＩＣタグ３２を持たない乗客が正規の乗客と一緒に乗りかご１３に乗り込んだ場合には、それを検出することができない。第２の実施形態では、このような正規の乗客に紛れて一緒に乗り込んだ不正の乗客を検出するものである。
【００５８】
図７は第２の実施形態におけるエレベータシステムの群管理制御装置１１の機能構成を示すブロック図である。なお、上記第１の実施形態における図２の構成と同一部分には同一符号を付して、その説明は省略するものとする。
【００５９】
第２の実施形態では、乗りかご１３に乗客人数を検出するための乗客人数検出装置３４が設けられている。この乗客人数検出装置３４としては、具体的にはカメラが用いられる。
【００６０】
すなわち、図８に示すように、かご内の全体を撮影できるように、天井等に乗客人数検出装置３４としてのカメラを設置しておき、そのカメラで撮影された画像を解析処理することで乗客人数を検出する。なお、カメラの撮影画像を用いて乗客を認識することは、一般的な画像解析技術を用いて行うことができるため、ここでは詳しい説明を省略するものとする。
【００６１】
また、別の方法として、図１に示した荷重センサ１４を用いて乗客人数を検出することも可能である。すなわち、乗客一人の平均体重を例えば６５ｋｇと定めて、荷重センサ１４によって検出された積載荷重を上記平均体重で割ることで、現在の乗客人数が求まる。ただし、乗客によって体重が異なり、また、荷物等によって荷重が変わってくるため、精度的には上記撮影画像を用いる方法が好ましい。
【００６２】
次に、第２の実施形態の動作について説明する。  
図９は第２の実施形態における群管理制御装置１１の処理動作を示すフローチャートである。なお、図９において、ステップＢ１１〜Ｂ１５までの処理は、図６のステップＡ１１〜Ａ１５までの処理と同様である。
【００６３】
すなわち、群管理制御装置１１は、乗場１５で行先階を登録した乗客を登録者識別装置３１にて識別すると共に、乗りかご１３が着床、戸開した際に、乗りかご１３に乗車した乗客を乗車者識別装置３３にて識別する（ステップＢ１１〜Ｂ１５）。
【００６４】
ここで、群管理制御装置１１は、さらに乗客人数検出装置３４によって乗りかご１３内の乗客人数を検出する（ステップＢ１６）。具体的には、乗客人数検出装置３４としてカメラを用いて、そのカメラの撮影画像を解析処理して乗客人数を検出する。あるいは、乗客人数検出装置３４として荷重センサ１４を用いて、その荷重センサ１４によって検出された積載荷重から乗客人数を検出する。
【００６５】
乗客人数が得られると、群管理制御装置１１は、乗客の識別情報と人数を照合する（ステップＢ１７）。詳しくは、乗りかご１３内で乗車者識別装置３３によって得られた乗客の識別情報（ＩＤ）と乗場１５で登録者識別装置３１によって得られた乗客の識別情報（ＩＤ）とを比較すると共に、両者が一致した識別情報のカウント数と乗りかご１３内で乗客人数検出装置３４によって得られた乗客人数とを比較する。
【００６６】
その結果、乗客の識別情報と人数が共に一致した場合、つまり、乗りかご１３内の乗客の識別情報が情報記録部２１に記録された識別情報と一致し、さらに、その一致した識別情報をカウントして得られる乗客人数と乗りかご１３内で検出された乗客人数とが一致すれば（ステップＢ１７のＹｅｓ）、群管理制御装置１１は、正規の乗客のみが乗りかご１３に乗っているものと判断し、乗りかご１３を戸閉して出発する（ステップＢ１８）。
【００６７】
一方、乗客の識別情報あるいは人数が一致しなかった場合には（ステップＢ１７のＮｏ）、群管理制御装置１１は、乗客が誤って乗りかご１３に乗っているものと判断し、指令部２５を通じてかご内の音声アナウンス装置３５と表示装置３６に対して警告指示を出す（ステップＡ１８）。
【００６８】
これにより、乗客の識別情報が一致しない場合には、例えば「このエレベータは＊＊階に向かいます。間違って乗車している方がいますので、ご確認下さい。」といったような警告メッセージが音声アナウンス装置３５を通じて音声アナウンスされると共に、表示装置３６に文字表示される。
【００６９】
また、乗客人数が一致しない場合には、例えば「乗客人数が合いません。ご確認下さい。」といったような警告メッセージが音声アナウンス装置３５を通じて音声アナウンスされると共に、表示装置３６に文字表示される。この間、戸開状態が保持されており、乗りかご１３の運転は停止されている（ステップＢ２０）。該当する乗客が降りると、乗りかご１３が戸閉して出発する。
【００７０】
このように第２の実施形態によれば、上記第１の実施形態に加え、乗りかご１３内の乗車人数を検出することにより、不正な乗客が正規の乗客に紛れ込んで乗車することを防ぐことができる。この場合、不正な乗客つまり不審者が乗っていれば、その不審者が降りるまでは、乗りかご１３は戸開して止まっているため、乗りかご１３内での犯罪を未然に防ぐことができる。
【００７１】
（第３の実施形態）
次に、第３の実施形態について説明する。
【００７２】
上記第１および第２の実施形態では、乗りかご１３への乗車には登録者識別装置３１および乗車者識別装置３３の識別対象であるＩＣタグ３２を必要とするため、知り合いなどの同乗者が一緒にいた場合に乗車させることができずに不具合である。第３の実施形態では、このような同乗者が一緒にいた場合での救済方法について説明する。
【００７３】
図１０は第３の実施形態におけるエレベータシステムの群管理制御装置１１の機能構成を示すブロック図である。なお、上記第２の実施形態における図７の構成と同一部分には同一符号を付して、その説明は省略するものとする。
【００７４】
第３の実施形態では、乗客が連れている同乗者の人数を登録するための同乗者数登録装置４２が設けられている。また、図１１に示すように、情報記録部２１は同乗者数登録装置４２に登録された同乗者数が当該乗客に関連付けて記録されるようになっている。
【００７５】
同乗者数登録装置４２としては、例えば乗客が持つＩＣタグ３２の情報を読み取るＩＣリーダが用いられる。ただし、図１２に示すように、乗車者識別装置３３のような非接触型ではなく、乗客が自分のＩＣタグ３２の情報を直接読み込ませるような接触型のＩＣリーダとする。この同乗者数登録装置４２は、乗りかご１３内のかごドア３７ａの近傍に設置されており、乗客が自分のＩＣタグ３２の情報を読み込ませた回数を同乗者数として登録する。
【００７６】
次に、第３の実施形態の動作について説明する。  
図１３は第３の実施形態における群管理制御装置１１の処理動作を示すフローチャートである。なお、図１３において、ステップＣ１１〜Ｃ２０までの処理は、図６のステップＢ１１〜Ｂ２０までの処理と同様である。
【００７７】
すなわち、群管理制御装置１１は、乗場１５で行先階を登録した乗客を登録者識別装置３１にて識別すると共に、乗りかご１３が着床、戸開した際に、乗りかご１３に乗車した乗客を乗車者識別装置３３にて識別する（ステップＣ１１〜Ｃ１５）。
【００７８】
さらに、群管理制御装置１１は、乗客人数検出装置３４によって乗りかご１３内の乗客人数を検出した後、乗客の識別情報と人数が一致するか否かを判断し、乗客の識別情報と人数が共に一致すれば、乗りかご１３を戸閉して出発する（ステップＣ１６〜Ｃ１８）。一方、乗客の識別情報あるいは人数が一致しなかった場合には、音声アナウンス装置３５と表示装置３６を通じて警告を出し、戸開状態を保持して乗りかご１３の運転を停止しておく（ステップＣ１９〜Ｃ２０）。
【００７９】
ここで、乗客が同乗者を連れている場合において、乗りかご１３に乗車すると、例えば「乗客人数が合いません。ご確認下さい。」といったような警告メッセージが音声アナウンス装置３５を通じて音声アナウンスされると共に、表示装置３６に文字表示される。
【００８０】
同乗者を連れた乗客は、この警告メッセージを受けて、乗りかご１３内に設置された同乗者数登録装置４２に同乗者の人数を登録する。具体的には、乗客が自分のＩＣタグ３２を同乗者の人数だけ同乗者数登録装置４２に直接接触させる。例えば、同乗者が２人いれば、自分のＩＣタグ３２を同乗者数登録装置４２に２回続けて直接接触させる。このとき登録された同乗者数は、図１１のように情報記録部２１に当該乗客のＩＤと関連付けて記録される。
【００８１】
同乗者数が登録されると（ステップＣ２１のＹｅｓ）、群管理制御装置１１は、情報記録部２１を参照して当該乗客の同乗者数を現在の乗客人数に加算した後（ステップＣ２２）、上記ステップＣ１７にて再度人数の照合を行う。
【００８２】
すなわち、図１１の例で言えば、行先階の登録者である乗客Ａが同乗者数として１人を登録した場合には、乗客の識別情報をカウントして得られる乗客人数に同乗者数の１人を加算して、乗客人数検出装置３４にて検出された乗客人数と比較する。これにより、両者の乗客人数が一致して（ステップＣ１７のＹｅｓ）、乗りかご１３が戸閉して出発することになる（ステップＣ１８）。
【００８３】
このように第３の実施形態によれば、上記第１および第２の実施形態に加え、乗客が同乗者の人数を登録できるようにしたことで、ＩＣタグ等を持たない外部の人を同乗者として連れている場合でも、乗りかご１３に乗せて移動することができる。
【００８４】
なお、上記第３の実施形態では、同乗者数登録装置４２として乗りかご１３内に設置された接触型のＩＣリーダを例として説明したが、乗場１５に設置された乗場行先階登録装置１６に同乗者数を登録する機能を持たせることでも良い。このような構成によれば、乗りかご１３内に同乗者数登録用のＩＣリーダなどを設置することは不要となり、乗場１５にて乗客の行先階と同乗者数の両方を簡単に登録できて便利である。
【００８５】
以上のように、これらの実施形態によれば、乗客が乗場で行先階を登録した際に、その乗場に到着した乗りかごに誤って乗車することを防ぐと共に、不審者の乗車を防いでセキュリティを確保することのできるエレベータシステムを提供することができる。
【００８６】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８７】
１，２…伝送ケーブル、１１…群管理制御装置、１２ａ，１２ｂ，１２ｃ…エレベータ制御装置、１３ａ，１３ｂ，１３ｃ…乗りかご、１４ａ，１４ｂ，１４ｃ…荷重センサ、１５ａ，１５ｂ，１５ｃ…乗場、１６ａ，１６ｂ，１６ｃ…乗場行先階登録装置、１７ａ，１７ｂ，１７ｃ…操作部、１８ａ，１８ｂ，１８ｃ…表示部、２１…情報記録部、２２…割当て制御部、２３…情報照合部、２４…運転制御部、２５…指令部、３１…登録者識別識装置、３２…ＩＣタグ、３３…乗車者識別装置、３４…乗客人数検出装置、３５…かご内の音声アナウンス装置、３６…かご内の表示装置、３７…ドア制御装置、３７ａ…かごドア、３８ａ…戸開ボタン、３８ｂ…戸閉ボタン、４１…監視室。
【図１】
2012056653.tif 000003
【図２】
2012056653.tif 000004
【図３】
2012056653.tif 000005
【図４】
2012056653.tif 000006
【図５】
2012056653.tif 000007
【図６】
2012056653.tif 000008
【図７】
2012056653.tif 000009
【図８】
2012056653.tif 000010
【図９】
2012056653.tif 000011
【図１０】
2012056653.tif 000012
【図１１】
2012056653.tif 000013
【図１２】
2012056653.tif 000014
【図１３】
2012056653.tif 000015